(57)【特許請求の範囲】
【請求項１】
所定のアナログ回路部周囲の雰囲気温度を取得する温度取得部と、
前記雰囲気温度の変化に伴う前記アナログ回路部のゲイン変動を補償する温度補正データを記憶した温度補正データ記憶部と、
前記温度取得部によって取得された雰囲気温度に応じた前記温度補正データおよび、前記雰囲気温度の変化に伴う前記アナログ回路部のゲイン変動の個体差を補償する個体差補正データに基づいて、前記アナログ回路部の出力信号のレベルの温度変化による変動分を補正した信号を出力する補正部と、
前記受信信号のレベル変動に応じて前記補正の出力信号のレベルを略一定にするよう前記アナログ回路部のゲインを調整し、前記補正部の出力信号に基づいて生成されるゲイン制御信号であって、所定の常温において生成されるゲイン制御信号と、任意の雰囲気温度で生成されるゲイン制御信号との差分に基づいて生成されたデータを、前記個体差補正データとして記憶する個体差データ記憶部と、
を備えた温度補正回路。
【請求項２】
請求項１に記載された温度補正回路と、
前記アナログ回路部に含まれ、受信信号を増幅する増幅部と、
前記アナログ回路部に含まれ、前記増幅部によって増幅された受信信号を復調する復調部と、
を備えた復調回路。
【請求項３】
受信信号を復調してベースバンド受信信号を出力する請求項２に記載の復調回路を備えた通信装置。
【請求項４】
所定のアナログ回路部周囲の雰囲気温度を取得し、
前記アナログ回路部周囲の雰囲気温度の変化に伴う前記アナログ回路部のゲイン変動を補償する温度補正データを記憶し、
前記温度補正データおよび、前記雰囲気温度の変化に伴う前記アナログ回路部のゲイン変動の個体差を補償する個体差補正データに基づいて、前記アナログ回路部からの出力信号のレベルの温度変化による変動分を補正した信号を出力して補正し、
前記雰囲気温度の変化に伴う前記アナログ回路部に入力される入力信号のレベル変動に応じて、前記補正からの出力信号のレベルを略一定にするよう前記アナログ回路のゲインを調整し、前記補正の出力信号のレベルに基づいて生成されるゲイン制御信号であって、所定の常温において生成されるゲイン制御信号と、任意の雰囲気温度で生成されるゲイン制御信号との差分に基づいて生成されたデータを、前記個体差補正データとして記憶することを特徴とする温度補正方法。
【請求項５】
アナログ回路部を用いて受信信号を増幅し、
増幅した受信信号を前記アナログ回路部を用いて復調し、
前記アナログ回路部周囲の雰囲気温度を取得し、
前記アナログ回路部周囲の雰囲気温度の変化に伴う前記アナログ回路部のゲイン変動を補償する温度補正データを記憶し、
前記温度補正データおよび、前記雰囲気温度の変化に伴う前記アナログ回路部のゲイン変動の個体差を補償する個体差補正データに基づいて、前記復調の出力信号のレベルの温度変化による変動分を補正した信号を出力して補正し、
前記受信信号のレベル変動に応じて前記補正の出力信号のレベルを略一定にするよう前記アナログ回路部のゲインを調整し、前記補正の出力信号に基づいて生成されるゲイン制御信号であって、所定の常温において生成されるゲイン制御信号と、任意の雰囲気温度で生成されるゲイン制御信号との差分に基づいて生成されたデータを、前記個体差補正データとして記憶することを特徴とする復調方法。
【発明の詳細な説明】
【技術分野】
【０００１】
本発明は、アナログ回路の温度特性を補償する温度補正回路、復調回路、通信装置、温度補正方法、および、復調方法に関する。
【背景技術】
【０００２】
一般に、アナログ回路は、温度変化によって回路特性が不安定になる特徴を有している。例えば、通信装置の復調回路に含まれるアナログ回路は、受信信号を所定のゲインにより増幅し、増幅した受信信号を復調する。このため、復調回路等では、温度変化によってアナログ回路のゲイン変動が生じ、出力信号に誤差が生じる。
【０００３】
ゲイン変動を調整する技術としては、受信信号のレベルに応じてアナログ回路のゲインを調整するＩＦ  ＡＧＣ（Intermediate Frequency Automatic Gain Control）と呼ばれる技術が利用されている。ＩＦ  ＡＧＣを利用した復調回路は、中間周波増幅回路の出力値に基づいて制御値を変動させながら、制御値を中間周波増幅回路にフィードバックすることにより、出力信号のレベルを一定にするようゲインを調整する。
【０００４】
また、他のゲイン変動を調整する技術として、温度変化によるゲイン変動を抑制する温度補正回路を有する装置が知られている（例えば、特許文献１参照）。
【０００５】
この特許文献１に記載された装置は、温度センサにより検出された周囲雰囲気温度データを取得する。そして、この装置は、ＲＯＭ（Read Only Memory）に予め記録されている温度補正情報から、取得した周囲雰囲気温度データに対応する温度補正データを読み出す。さらに、この装置は、読み出した温度補正データに基づいてゲインコントロール信号を生成する。そして、この装置は、生成したゲインコントロール信号を増幅器に提供することによりゲインを調整する。
【先行技術文献】
【特許文献】
【０００６】
【特許文献１】特開２００９−１８６４０６号公報
【発明の概要】
【発明が解決しようとする課題】
【０００７】
しかしながら、ＩＦ  ＡＧＣを利用した復調回路は、アナログ回路での温度変化によるゲイン変動に基づく誤差を、入力信号のレベル値の変動として捉える。このため、ＩＦ  ＡＧＣを利用した復調回路は、アナログ回路での温度変化によるゲイン変動が生じると、同じレベルの入力信号に対して異なる制御値を生成する場合があり、適切なゲイン調整を行うことができない。
【０００８】
また、アナログ回路の温度特性は、装置により個体差がある。しかしながら、特許文献１に記載された装置は、このような個体差を考慮しておらず、適切なゲイン調整を行うことができない場合があった。
【０００９】
本発明は、上述の課題を解決するためになされたもので、温度変化によるアナログ回路のゲイン変動をより高精度に補償することができる復調回路および温度補正回路を提供することを目的とする。
【課題を解決するための手段】
【００１０】
本発明の温度補正回路は、所定のアナログ回路部周囲の雰囲気温度を取得する温度取得部と、前記雰囲気温度の変化に伴う前記アナログ回路部のゲイン変動を補償する温度補正データを記憶した温度補正データ記憶部と、前記雰囲気温度の変化に伴う前記アナログ回路部のゲイン変動の個体差を補償する個体差補正データを記憶した個体差補正データ記憶部と、前記温度取得部によって取得された雰囲気温度に応じた前記温度補正データおよび前記個体差補正データに基づいて、前記アナログ回路部の出力信号のレベルの温度変化による変動分を補正した信号を出力する補正部と、を備える。
【００１１】
また、本発明の復調回路は、本発明の温度補正回路と、前記アナログ回路部に含まれ、受信信号を増幅する増幅部と、前記アナログ回路部に含まれ、前記増幅部によって増幅された受信信号を復調する復調部とを備える。
【００１２】
また、本発明の通信装置は、受信信号を復調してベースバンド受信信号を出力する本発明の復調回路を備える。
【００１３】
また、本発明の温度補正方法は、所定のアナログ回路部周囲の雰囲気温度を取得する温度取得ステップと、前記アナログ回路部周囲の雰囲気温度の変化に伴う前記アナログ回路部のゲイン変動を補償する温度補正データがあらかじめ記憶された温度補正データ記憶部および前記雰囲気温度の変化に伴う前記アナログ回路部のゲイン変動の個体差を補償する個体差補正データがあらかじめ記憶された個体差補正データ記憶部から、前記温度取得ステップで取得した雰囲気温度に応じた前記温度補正データおよび前記個体差補正データを取得し、取得した前記温度補正データおよび前記個体差補正データに基づいて、前記アナログ回路部からの出力信号のレベルの温度変化による変動分を補正した信号を出力する補正ステップと、を備える。
【００１４】
また、本発明の復調方法は、アナログ回路部を用いて受信信号を増幅する増幅ステップと、増幅した受信信号を前記アナログ回路部を用いて復調する復調ステップと、前記アナログ回路部周囲の雰囲気温度を取得する温度取得ステップと、前記アナログ回路部周囲の雰囲気温度の変化に伴う前記アナログ回路部のゲイン変動を補償する温度補正データがあらかじめ記憶された温度補正データ記憶部および前記雰囲気温度の変化に伴う前記アナログ回路部のゲイン変動の個体差を補償する個体差補正データがあらかじめ記憶された個体差補正データ記憶部から、前記温度取得ステップで取得された雰囲気温度に応じた前記温度補正データおよび前記個体差補正データを取得し、取得した前記温度補正データおよび前記個体差補正データに基づいて、前記復調ステップの出力信号のレベルの温度変化による変動分を補正した信号を出力する補正ステップと、を備える。
【発明の効果】
【００１５】
本発明は、温度変化によるアナログ回路部のゲイン変動をより高精度に補償することができる温度補正回路を提供することができる。
【図面の簡単な説明】
【００１６】
【図１】本発明の第１の実施の形態としての温度補正回路の構成図である。
【図２】本発明の第１の実施の形態におけるアナログ回路の温度特性の一例を示す図である。
【図３】本発明の第１の実施の形態における温度補正データの一例を示す図である。
【図４】本発明の第１の実施の形態における温度補正データの他の一例を示す図である。
【図５】本発明の第２の実施の形態としての復調回路の構成図である。
【図６】本発明の第３の実施の形態としての復調回路の構成図である。
【図７】本発明の第３の実施の形態としての復調回路の回路構成例を示す図である。
【図８】本発明の第３の実施の形態における温度補正回路の回路構成例を示す図である。
【図９】本発明の第３の実施の形態における個体差補正データ生成回路の回路構成例を示す図である。
【図１０】本発明の第４の実施の形態としての通信装置の構成図である。
【発明を実施するための形態】
【００１７】
以下、本発明の実施の形態について、図面を参照して詳細に説明する。
【００１８】
（第１の実施の形態）
本発明の第１の実施の形態としての温度補正回路１の構成を図１に示す。
【００１９】
図１において、温度補正回路１は、温度取得部１１と、温度補正データ記憶部１２と、個体差補正データ記憶部１３と、補正部１４と、を備えている。また、温度補正回路１は、所定のアナログ回路部２０に接続されており、アナログ回路部２０からの出力信号を入力信号として取得する。
【００２０】
温度取得部１１は、所定のアナログ回路部の周囲の雰囲気温度を取得する。例えば、温度取得部１１は、所定のアナログ回路部の周囲に設けられた温度センサから出力される電圧値を温度検出信号として取得する。温度取得部１１は、例えば、ＣＰＵ（Central Processing Unit）によって構成され、ＲＯＭ等の記憶装置に格納されたコンピュータ・プログラムを読み込んで実行することにより動作する。
【００２１】
温度補正データ記憶部１２は、雰囲気温度の変化に伴うアナログ回路部２０のゲイン変動を補償する温度補正データをあらかじめ記憶している。温度補正データ記憶部１２は、例えば、ＲＯＭによって構成される。
【００２２】
ここで、温度補正データについて説明する。一般的に、アナログ回路では、温度が上がるにつれゲインは落ちていく。このため、アナログ回路部２０は、例えば、図２に示すような温度特性を有する。図２の温度特性を補償するための温度補正データの一例を、図３に示す。
【００２３】
図３に示すように、温度補正データは、図２の温度特性における任意の温度でのゲインと所定の常温（例えば摂氏２５度）でのゲインとの差分であってもよい。すなわち、温度補正データは、アナログ回路部の温度特性の逆特性に相当する。
【００２４】
また、温度補正データは、このようなアナログ回路部の温度特性の逆特性が一次式等で近似された近似式を表すデータであってもよい。
【００２５】
また、温度補正データの他の一例を図４に示す。図４に示すように、温度補正データは、例えば摂氏３０度以上４０度未満ではXデシベル（以下、[dB]と記載する）、摂氏４０度以上〜５０度未満ではY[dB]補正するといったように、温度範囲に対して一定の値が定められたものであってもよい。
【００２６】
個体差補正データ記憶部１３は、雰囲気温度の変化に伴うアナログ回路部２０のゲイン変動の個体差を補償する個体差補正データをあらかじめ記憶している。個体差補正データ記憶部１３は、例えば、ＲＯＭによって構成される。
【００２７】
ここで、個体差補正データは、アナログ回路部２０の個体毎の温度特性のズレを補正するものである。例えば、個体差補正データは、個体毎に検出されるアナログ回路部２０の任意の雰囲気温度におけるゲインの補正値と、温度補正データ記憶部１２に記憶された温度補正データとの差分であってもよい。また、個体差補正データは、任意の雰囲気温度に対して補正データが定められていてもよい。あるいは、個体差補正データは、雰囲気温度に対する補正値が一次式等で近似された近似式を表すデータであってもよい。あるいは、個体差補正データは、温度範囲に対して一定の値が定められていてもよい。この個体差補正データは、アナログ回路部２０の検査時等に個体毎に検出されることにより記憶される。
【００２８】
補正部１４は、温度取得部１１によって取得された雰囲気温度に応じた温度補正データおよび個体差補正データを、温度補正データ記憶部１２および個体差補正データ記憶部１３から取得する。
【００２９】
例えば、温度補正データ記憶部１２および個体差補正データ記憶部１３に、雰囲気温度に対する補正値の近似式を表すデータが格納されている場合、補正部１４は、取得された雰囲気温度を近似式に適用することにより、対応する温度補正データおよび個体差補正データを算出するようにしてもよい。
【００３０】
あるいは、温度補正データ記憶部１２および個体差補正データ記憶部１３に、所定幅の温度範囲に対してそれぞれ一定の補正データが格納されている場合、補正部１４は、検出された雰囲気温度が含まれる温度範囲に対応付けられた温度補正データおよび個体差補正データを取得してもよい。
【００３１】
あるいは、温度補正データ記憶部１２および個体差補正データ記憶部１３に、任意の雰囲気温度に補正データが対応付けられて格納されている場合、補正部１４は、取得された雰囲気温度に対応する個体差補正データを、直線補間法等を用いて推定するようにしてもよい。
【００３２】
そして、補正部１４は、取得された温度補正データおよび個体差補正データに基づいて、アナログ回路部２０の出力信号のレベルの温度変化による変動分を補正した信号を出力する。例えば、補正部１４は、温度補正データおよび個体差補正データを、アナログ回路部２０の出力信号に乗じた信号を出力する。
【００３３】
このとき、アナログ回路部２０の出力信号がデシベル値で扱われており、温度補正データおよび個体差補正データがデシベル値として記憶されている場合、補正部１４は、アナログ回路部２０の出力信号に、温度補正データおよび個体差補正データを加算することにより、補正信号を出力すればよい。
【００３４】
なお、補正部１４は、例えば、ＣＰＵによって構成され、ＲＯＭ等の記憶装置に格納されたコンピュータ・プログラムを読み込んで実行することにより動作する。
【００３５】
以上のように構成された温度補正回路１の動作について説明する。
【００３６】
まず、補正部１４は、アナログ回路部２０からの出力信号を入力信号として取得する。このとき、アナログ回路部２０からの出力信号は、アナログ回路部２０の周囲の雰囲気温度変化によるゲイン変動による影響を受けている場合がある。次に、温度取得部１１は、アナログ回路部２０の周囲の雰囲気温度を取得する。次に、補正部１４は、取得された雰囲気温度に応じた温度補正データおよび個体差補正データを、温度補正データ記憶部１２および個体差補正データ記憶部１３から取得する。そして、補正部１４は、取得した温度補正データおよび個体差補正データに基づいて、アナログ回路部２０からの出力信号のレベルの温度変化による変動分を補正した信号を出力する。具体的には、例えば、補正部１４は、アナログ回路部２０からの出力信号のデシベル値に温度補正データおよび個体差補正データのデシベル値を加算することにより、補正を行う。
【００３７】
以上で、温度補正回路１の動作の説明を終了する。
【００３８】
次に、本発明の第１の実施の形態の効果について述べる。
【００３９】
本発明の第１の実施の形態としての温度補正回路は、アナログ回路部の温度変化によるゲイン変動をより高精度に補償することができる。
【００４０】
その理由は、温度補正データ記憶部が、アナログ回路部の温度特性を補償する温度補正データを記憶しておくのに加えて、個体差補正データ記憶部が、アナログ回路部の温度特性の個体差を補償する個体差補正データをあらかじめ記憶しておくからである。これにより、補正部が、個体差補正データを加味した温度補正データを用いて、アナログ回路部からの出力信号のレベルを補正するからである。
【００４１】
（第２の実施の形態）
次に、本発明の第２の実施の形態について図面を参照して詳細に説明する。なお、本実施の形態の説明において参照する各図面において、本発明の第１の実施の形態と同一の構成には同一の符号を付して本実施の形態における詳細な説明を省略する。
【００４２】
本発明の第２の実施の形態としての復調回路２の構成を図５に示す。
【００４３】
図５において、復調回路２は、増幅部２１と、復調部２２と、温度検出部２３と、本発明の第１の実施の形態としての温度補正回路１とを備える。また、復調回路２は、アンテナ等を介して受信信号を受信する通信装置に備えられている。
【００４４】
増幅部２１は、アナログ回路部２０に含まれる。また、増幅部２１は、復調回路２が備えられている通信装置によって受信された受信信号を、復調部２２によって復調可能なレベルとなるよう所定のゲインで増幅する。
【００４５】
復調部２２は、アナログ回路部２０に含まれる。また、復調部２２は、増幅部２１によって増幅された受信信号を復調する。例えば、復調部２２は、直交復調器等によって構成される。なお、復調部２２に採用される復調器の復調方式は、送信側の変調方式に応じたものとなる。
【００４６】
また、復調部２２によって復調された信号は、Ａ／Ｄ（Analog to Digital）コンバータによってデジタル信号に変換され、温度補正回路１に出力される。
【００４７】
温度検出部２３は、アナログ回路部２０の周囲の雰囲気温度を検出する。例えば、温度検出部２３は、サーミスタによって構成され、雰囲気温度に応じて変化する電圧値を温度検出信号として温度補正回路１の温度取得部１１に出力する。
【００４８】
以上のように構成された復調回路２の動作について説明する。
【００４９】
まず、増幅部２１に、受信信号が入力される。そして、増幅部２１は、所定のゲインにより受信信号を増幅する。次に、復調部２２は、増幅部２１によって増幅された受信信号を復調する。このとき、復調部２２からの出力信号は、雰囲気温度の変化によるアナログ回路部２０のゲイン変動の影響を受けている可能性がある。次に、温度検出部２３は、アナログ回路部２０の周囲の雰囲気温度を検出する。次に、温度取得部１１は、検出された雰囲気温度を取得する。次に、補正部１４は、検出された雰囲気温度に応じた温度補正データおよび個体差補正データを、温度補正データ記憶部１２および個体差補正データ記憶部１３から取得する。そして、補正部１４は、取得した温度補正データおよび個体差補正データに基づいて、復調部２２からの出力信号のレベルの温度変化による変動分を補正した信号を出力する。具体的には、例えば、補正部１４は、復調部２２からの出力信号のデシベル値に温度補正データおよび個体差補正データのデシベル値を加算することにより、補正を行う。
【００５０】
以上で、復調回路２の動作の説明を終了する。
【００５１】
次に、本発明の第２の実施の形態の効果について述べる。
【００５２】
本発明の第２の実施の形態としての復調回路は、温度変化によるアナログ回路のゲイン変動をより高精度に補償した復調信号を出力することができる。
【００５３】
その理由は、温度補正データ記憶部が、増幅部および復調部を含むアナログ回路の温度特性を補償する温度補正データを記憶しておくのに加えて、個体差補正データ記憶部が、温度特性の個体差を補償する個体差補正データをあらかじめ記憶しておき、補正部が、個体差補正データを加味した温度補正データを用いて、復調された信号を補正するからである。
【００５４】
（第３の実施の形態）
次に、本発明の第３の実施の形態について図面を参照して詳細に説明する。なお、本実施の形態の説明において参照する各図面において、本発明の第２の実施の形態と同一の構成には同一の符号を付して本実施の形態における詳細な説明を省略する。
【００５５】
本発明の第３の実施の形態としての復調回路３の構成を図６に示す。
【００５６】
図６において、復調回路３は、本発明の第２の実施の形態としての復調回路２に対して、ゲイン制御信号生成部３４をさらに備え、増幅部２１に替えて増幅部３１と、温度補正回路１に替えて温度補正回路４とを備える点が異なる。また、温度補正回路４は、本発明の第１の実施の形態としての温度補正回路１に対して、個体差補正データ記憶部１３に替えて個体差補正データ記憶部４３を備える点が異なる。
【００５７】
増幅部３１は、外部から入力されるゲイン制御信号に基づきゲインを調整する機能を有する増幅器によって構成される。
【００５８】
ゲイン制御信号生成部３４は、増幅部３１に対するゲイン制御信号を、補正部１４からの出力信号に基づいて生成する。このゲイン制御信号は、アナログ回路部２０に入力される受信信号のレベル変動に応じて、補正部１４からの出力信号のレベルを略一定にするようゲインを制御する信号である。
【００５９】
個体差補正データ記憶部４３は、個体差補正データとして、雰囲気温度の変化に伴うゲイン制御信号の変動を補正するデータを記憶している。
【００６０】
この個体差補正データは、復調回路３の検査時等に、復調回路３に入力される受信信号のパワーを一定にした状態で、雰囲気温度を変化させることにより検出される。例えば、個体差補正データは、所定の常温において生成されるゲイン制御信号と、任意の雰囲気温度において生成されるゲイン制御信号との差分に基づいて生成されてもよい。
【００６１】
このような本実施の形態の復調回路３において、復調部２２に直交復調器を採用した場合の回路構成例を図７に示す。また、図７の復調回路３は、ＲＦ（Radio Frequency）帯域からＩＦ（Intermediate Frequency）帯域に変換されたＩＦ受信信号を入力として、これを復調したＢＢ（Baseband）受信信号を出力するものとする。なお、本発明における復調回路の回路構成例は以下には限られない。
【００６２】
図７において、復調回路３は、アナログ回路として、ＢＰＦ（Band Pass Filter）３０１と、ＶＧＡ（Variable Gain Amplifier）３０２とを含んでいる。また、復調回路３は、アナログ回路として、さらに、ＬＯ（Local Oscillator）３０３と、π／２位相変換器３０４と、直交復調器３０５および３０６と、ＬＰＦ（Low Pass Filter）３０７、３０８および３１７とを含んでいる。
【００６３】
また、復調回路３は、Ａ／Ｄコンバータ３０９および３１０をさらに含み、アナログ回路からの出力をデジタル信号に変換する。ここでは、Ａ／Ｄ変換後のデジタル信号は、デシベル値で取り扱われるものとする。
【００６４】
また、復調回路３は、デジタル回路として、温度補正回路４と、ＩＦ  ＡＧＣ制御回路３１２と、ＦＩＲ（Finite Impulse Response）フィルタ３１３および３１４と、ＥＱＬ（Equalizer）３１５と、ＰＤ（PH DET、位相比較器)３１６とを、さらに含んでいる。
【００６５】
ここで、増幅部３１は、ＶＧＡ３０２によって構成される。また、復調部２２は、ＬＯ３０３と、π／２位相変換器３０４と、直交復調器３０５および３０６と、ＬＰＦ３０７および３０８とによって構成される。
【００６６】
ＢＰＦ３０１は、所定のＩＦ帯以外の信号を除去する。
【００６７】
ＶＧＡ３０２は、外部からの制御信号に従ってゲインが変化する増幅器を用いて構成される。ＶＧＡ３０２のゲインは、ＩＦ  ＡＧＣ制御回路３１２から出力されるＩＦ  ＡＧＣ制御信号の電圧値の増減によって可変となっている。
【００６８】
ＬＯ３０３は、ＩＦ帯域の信号をベースバンド帯域にダウンコンバートさせるための信号を生成する。
【００６９】
π／２位相変換器３０４は、ＬＯ３０３の位相をπ／２変換させて直交復調器３０５に入力する。
【００７０】
直交復調器３０５は、ＶＧＡ３０２の出力信号と、π／２位相変換されたＬＯ３０３の出力信号とを乗算することにより、同相成分Pchを取り出す。
【００７１】
直交復調器３０６は、ＶＧＡ３０２の出力信号と、ＬＯ３０３の出力信号とを乗算することにより、直交成分Qchを取り出す。
【００７２】
ＬＰＦ３０７および３０８は、直交復調器３０５および３０６の出力信号のうち所定の周波数以上の信号を遮断する。
【００７３】
ＦＩＲフィルタ３１３および３１４は、温度補正回路４から出力される信号の波形を整形する。
【００７４】
ＥＱＬ３１５は、シンボル間干渉の影響等を除去する。
【００７５】
ＰＤ３１６は、送信側の周波数とＬＯ３０３との位相差を抽出する。
【００７６】
ＬＰＦ３１７は、ＰＤ信号を積分することにより雑音成分を抑制する。
【００７７】
ＩＦ  ＡＧＣ制御回路３１２は、Ａ／Ｄコンバータ３０９および３１０からの出力信号のパワーを計算する乗算器、所望のパワー情報（リファレンス）を記憶するメモリ、Ａ／Ｄコンバータの出力信号とリファレンスとを比較するコンパレータなどを有する。
【００７８】
また、ＩＦ  ＡＧＣ制御回路３１２は、Ａ／Ｄコンバータ３０９および３１０からの出力レベルを略一定にするためのＩＦ  ＡＧＣ制御値をＶＧＡ３０２に対して出力する。すなわち、ＩＦ  ＡＧＣ制御回路３１２は、コンパレータによる比較結果に基づき、ＶＧＡ３０２に対して出力するＩＦ  ＡＧＣ制御値を増減させる。
【００７９】
また、ＩＦ  ＡＧＣ制御回路３１２は、このＩＦ  ＡＧＣ制御値を温度補正回路４にも出力する。
【００８０】
次に、温度補正回路４の構成例について、図８および図９を参照して説明する。
【００８１】
図８において、温度補正回路４は、ＲＯＭ４０１と、ＲＯＭ４０２と、個体差補正データ生成回路４０３と、ＣＰＵ４０４と、加算器４０５および４０６とによって構成される。また、個体差補正データ生成回路４０３の構成を図９に示す。図９において、個体差補正データ生成回路４０３は、セレクタ４０７と、演算部４０８と、ＶＧＡ４０９とを含んでいる。
【００８２】
ここで、温度補正データ記憶部１２は、ＲＯＭ４０１によって構成される。また、個体差補正データ記憶部４３は、個体差補正データ生成回路４０３およびＲＯＭ４０２によって構成される。また、温度取得部１１および補正部１４は、ＣＰＵ４０４によって構成される。
【００８３】
ＲＯＭ４０１には、図３および図４を参照して一例を説明した本発明の第１の実施の形態における温度補正データと同様な温度補正データが、デシベル値であらかじめ記憶されている。
【００８４】
個体差補正データ生成回路４０３は、温度検出部２３によって検出される雰囲気温度とＩＦ  ＡＧＣ制御回路３１２によって生成されるＩＦ  ＡＧＣ制御値とを入力信号として取得する。
【００８５】
セレクタ４０７は、装置の検査時等の個体差補正データの生成時には入力信号を演算部４０８へ出力し、そうでない場合は入力信号を演算部４０８へ出力しないよう切り替えを行う。
【００８６】
演算部４０８は、所定の基準温度におけるＩＦ  ＡＧＣ制御値と、任意の雰囲気温度においてＩＦ  ＡＧＣ制御回路３１２から出力されるＩＦ  ＡＧＣ制御値との差分（例えば、基準温度に対して１℃の温度変化に対するＩＦ  ＡＧＣ制御値の差分ΔIF AGC/℃）を検出する。また、演算部４０８は、検出した差分をＶＧＡ４０９に出力する。
【００８７】
ＶＧＡ４０９は、ＩＦ  ＡＧＣ制御値の差分値（例えばΔIF AGC/℃）をデシベル値に変換する。
【００８８】
ＲＯＭ４０２は、ＶＧＡ４０９から出力される情報を記憶する。ここで、ＲＯＭ４０２に記憶される個体差補正データは、任意の雰囲気温度に応じたデータが対応付けられたものであってもよいし、温度範囲に対して一定の値が対応付けられたものであってもよい。
【００８９】
なお、個体差補正データ生成回路４０３は、検査時に差分を検出し、ＲＯＭ４０２に個体差補正データを記憶させる回路であるため、復調回路３の外部に備えられていてもよい。
【００９０】
以上のように構成された復調回路３の動作について説明する。
【００９１】
まず、個体差補正データ記憶部４３が、個体差補正データをあらかじめ記憶する動作について説明する。なお、この処理は、復調回路３に入力される受信信号のパワーを一定にした状態で、雰囲気温度を変化させながら実行される。
【００９２】
まず、個体差補正データ生成回路４０３の演算部４０８は、所定の基準温度においてＡＧＣ制御回路２４から出力されるＩＦ  ＡＧＣ制御値を一時的に記憶する。そして、演算部４０８は、雰囲気温度の変化に応じてＡＧＣ制御回路２４から出力されるＩＦ  ＡＧＣ制御値と、一時記憶した基準温度におけるＩＦ  ＡＧＣ制御値との差分を演算する。そして、ＶＧＡ４０９は、差分値をデシベル値の補正データに変換する。そして、演算部４０８は、温度検出部２３によって検出される雰囲気温度と、補正データとを対応付けてＲＯＭ４０２に格納させる。
【００９３】
次に、温度補正回路４が、復調回路３による受信信号の復調処理の際に温度特性を補償する動作について説明する。
【００９４】
まず、ＣＰＵ４０４は、温度検出部２３によって検出された雰囲気温度に対応する温度補正データを、ＲＯＭ４０１から読み出す。
【００９５】
次に、ＣＰＵ４０４は、温度検出部２３によって検出された雰囲気温度に対応する個体差補正データを、ＲＯＭ４０２から読み出す。
【００９６】
次に、ＣＰＵ４０４は、読み出した温度補正データおよび個体差補正データを加算した補正データを、加算器４０５および４０６に出力する。
【００９７】
次に、加算器４０５は、同相成分ＰｃｈのＡ／Ｄコンバータ３０９からの出力信号と、補正データとを加算してＦＩＲフィルタ３１３およびＩＦ  ＡＧＣ制御回路３１２に出力する。
【００９８】
また、加算器４０６は、直交成分ＱｃｈのＡ／Ｄコンバータ３１０からの出力信号と、補正データとを加算してＦＩＲフィルタ３１４およびＩＦ  ＡＧＣ制御回路３１２に出力する。
【００９９】
以上で、温度補正回路４の動作の説明を終了する。
【０１００】
なお、復調回路３は、ＲＯＭ４０２と、ＣＰＵ４０４との間にセレクタを設け、個体差補正データを適用する高精度モードと、適用しない通常モードを設けてもよい。
【０１０１】
次に、本発明の第３の実施の形態の効果について述べる。
【０１０２】
本発明の第３の実施の形態としての復調回路は、受信信号のレベルに応じて出力信号のレベルを略一定にするようゲインを調整する機能を備えた復調回路において、温度変化によるアナログ回路部のゲイン変動をより高精度に補償することができる。
【０１０３】
その理由は、個体差補正データ記憶部が、入力信号のレベルが同一の場合の温度変化に伴うゲイン制御信号の変動を補正するデータを、個体差補正データとしてあらかじめ記憶しておくからである。ここで、ゲイン制御信号は、増幅器に共通の温度補正データに基づいて温度変化による影響が既に補正された後の出力信号に基づいて生成されている。したがって、入力信号のレベルが同一の場合の温度変化に伴うゲイン制御信号の変動は、増幅器の温度特性の個体差による差分に基づくものとみなせるからである。これにより、本発明の第３の実施の形態としての復調回路は、増幅部の温度特性の個体差によるゲイン変動を、入力信号のレベルの変動と捉えてしまうことがないためである。
【０１０４】
（第４の実施の形態）
次に、本発明の第４の実施の形態について説明する。
【０１０５】
本発明の第４の実施の形態としての通信装置５の構成を図１０に示す。図１０において、通信装置５は、処理部５１と、変調回路５２と、復調回路３と、マルチプレクサ５３とを備え、アンテナ５４と接続されている。
【０１０６】
処理部５１は、送信対象のデータに対してＱＰＳＫ（quadrature phase shift keying）等に基づく変調処理および誤り訂正符号化処理等を行うことにより、ベースバンド送信信号を生成する。また、処理部５１は、復調回路３から出力されるベースバンド受信信号に対して、誤り訂正符号復号処理やＱＰＳＫ等に基づく復調処理等を行う。
【０１０７】
変調回路５２は、処理回路５１から出力されるベースバンド送信信号を、ＩＦ帯に変調する。
【０１０８】
復調回路３は、本発明の第３の実施の形態を用いて構成され、ＩＦ受信信号をベースバンド受信信号に復調する。
【０１０９】
マルチプレクサ５３は、ＩＦ送信信号およびＩＦ受信信号を分岐させる。
【０１１０】
以上のように構成された通信装置５は次のように動作する。まず、通信装置５は、アンテナ５４を介して受信信号を受信し、ＲＦ帯からＩＦ帯に変換する。次に、復調回路３は、ＩＦ帯の受信信号に対して、本発明の第３の実施の形態と同様に動作することにより温度変化によるゲイン変動の補正を行ってベースバンド受信信号に復調する。処理回路５１は、補正されたベースバンド受信信号に対して、誤り訂正符号復号処理やＱＰＳＫ等に基づく復調処理を行う。
【０１１１】
このように、本発明の第４の実施の形態としての通信装置は、本発明の第３の実施の形態としての復調回路を備えることにより、アナログ回路の温度特性およびその個体差の影響による通信劣化をより高精度に抑えることができる。
【０１１２】
なお、上述した各実施の形態は、適宜組み合わせて実施されることが可能である。
【０１１３】
また、本発明は、上述した各実施の形態に限定されず、様々な態様で実施されることが可能である。
【符号の説明】
【０１１４】
１、４  温度補正回路
２、３  復調回路
５  通信装置
１１    温度取得部
１２    温度補正データ記憶部
１３、４３    個体差補正データ記憶部
１４    補正部
２１、３１    増幅部
２２    復調部
２３    温度検出部
３４    ゲイン制御信号生成部
５１    処理部
５２    変調回路
５３    マルチプレクサ
５４    アンテナ
３０１    ＢＰＦ
３０２    ＶＧＡ
３０３    ＬＯ
３０４    π／２位相変換器
３０５、３０６    直交復調器
３０７、３０８、３１７    ＬＰＦ
３０９、３１０  Ａ／Ｄコンバータ
３１２    ＩＦ  ＡＧＣ制御回路
３１３、３１４    ＦＩＲフィルタ
３１５    ＥＱＬ
３１６    ＰＤ
４０１、４０２    ＲＯＭ
４０３    個体差補正データ生成回路
４０４    ＣＰＵ
４０５、４０６    加算器
４０７  セレクタ
４０８  演算部
４０９  ＶＧＡ
【図１】
0005625797.tif 000002
【図２】
0005625797.tif 000003
【図３】
0005625797.tif 000004
【図４】
0005625797.tif 000005
【図５】
0005625797.tif 000006
【図６】
0005625797.tif 000007
【図７】
0005625797.tif 000008
【図８】
0005625797.tif 000009
【図９】
0005625797.tif 000010
【図１０】
0005625797.tif 000011